(57)【要約】      （修正有）【課題】風窓よりファン室内に流入する流れを無くし、遮音効果により騒音も低減させる。【解決手段】モータ等の回転駆動源により正逆両方向に回転可能にハウジング１０内に配設された冷却ファン３を有し、前記ハウジングは、正転時に冷却風を排出する風窓２１と逆転時に冷却風を排出する風窓２２を有する動力式回転工具において、前記冷却ファンの回転方向に対応して前記一方の風窓を閉じる閉鎖部材２０を設けたことを特徴する。前記閉鎖部材は、正逆切替スイッチに連動して前記一方の風窓を閉じることを特徴とする【選択図】  図１
2004249425.tif 000002
【特許請求の範囲】
【請求項１】
モータ等の回転駆動源により正逆両方向に回転可能にハウジング内に配設された冷却ファンを有し、前記ハウジングは、正転時に冷却風を排出する風窓と逆転時に冷却風を排出する風窓を有する動力式回転工具において、前記冷却ファンの回転方向に対応して前記一方の風窓を閉じる閉鎖部材を設けたことを特徴とした動力式回転工具。
【請求項２】
前記閉鎖部材は、正逆切替スイッチに連動して前記一方の風窓を閉じることを特徴とする、請求項１記載の動力式回転工具。
【請求項３】
モータ等の回転駆動源により正逆両方向に回転可能にハウジング内に配設された冷却冷却ファンを有し、前記ハウジングは、冷却風を排出する風窓を有する動力式回転工具において、前記ハウジングに、前記冷却ファンの回転方向に対応して前記風窓からの排風方向を切る変えるガイド部材を設けたことを特徴とした動力式回転工具。
【請求項４】
前記ガイド部材は、正逆切替スイッチに連動して前記切り変えを行うことを特徴とする、請求項３記載の動力式回転工具。
【発明の詳細な説明】
【０００１】
【発明の属する技術分野】
本発明は正逆回転が可能な動力式回転工具に関するものである。
【０００２】
【従来の技術】
近年正逆回転を行う電動工具の小型化，高出力化，低騒音化の要求が高く，それに伴って小型で冷却能力が高いモータ冷却ファン及び冷却ファンが設置されているファン室の開発の必要性が高まっている。このような冷却ファンを搭載した電動工具の一例を図５〜図９を用いて説明する。図５はモータ冷却ファンを搭載した電動工具の一例である締め付け工具を示したものである。電動機の回転子２の回転により駆動軸５が回転し，回転動力が遊星ギヤ６、スピンドル７、冷却ファン８、アンビル９へと伝わり、アンビル９の先端に取り付けるビット（図示せず）を回転させ締め付け作業を行う。１０は本体を形成するハウジング、１１は冷却ファン８、アンビル９が収納されているファンケース、１は電動機の回転子２を起動させるスイッチ、１２は整流子である。また、電動機を冷却する冷却風の流れを図中の矢印にて説明する。前記駆動軸５に固着された遠心式の冷却ファン３の回転により、ハウジング１０に設けられた吸気口４よりａ１、ａ２のように冷却風が導入される。冷却風は判甚具１０内に設けられた流路に従い、整流子１２、回転子２を冷却し、遠心式の冷却ファン３の内径部より遠心方向に冷却風が流出し、ハウジング１０に設けられた吐出口１５より外部に流出する。
【０００３】
冷却ファン３とハウジング１０に設けられた吐出口１５の関係を部分断面図である図６と図７を用いて説明する。冷却ファン３は円板状の冷却ファン本体１４と該冷却ファン本体１４の所定半径位置から外周まで延び，前記冷却ファン本体１４の周方向に沿って所定ピッチで形成された複数の羽根１３，前記冷却ファン本体１４の中心部に設けられ，図示しない駆動軸に取り付けられるハブ等で一体に形成されている。冷却ファン３を回転させると，遠心作用により空気にエネルギーが与えられ，前記羽根１３の内周である入口部より前記冷却ファン本体１４，羽根１３および本体ハウジング１０により形成された風路を通過して前記羽根１３の外周部である吐出口１５より半径方向外方に排出される。
【０００４】
【発明が解決しようとする課題】
従来、正逆両回転を行う電動工具の冷却ファン室のほとんどは電動工具を形成する本体ハウジングの一部として形成されており、本体ハウジングは型成形により作られるのが一般的である。そのため、ハウジング外部形状やデザインの問題で風窓と冷却ファン中心を結んだ方向が型抜きの方向と一致しない場合、たとえば図８のようにファン室の上方と下方に風窓１５を設け、左右方向の抜き型でファン室を成形した場合では、冷却ファン３が１６の方向で回転した場合、冷却ファンの回転エネルギーにより流れが発生するため、冷却ファン３の回転方向に従って風は風窓から流出する流れ１７と風窓から流入する流れ１８が発生する。流れ１８は電動工具の冷却作用には利用されない流れであり、効率を悪化させている。これに対し、電動工具を逆回転させた場合においては、流れ１７と１８が逆転するため、冷却に有効な流れのみの風窓を設定することができない。また、図９に示すような冷却ファン３、ファン室、風窓１５の関係においては、いずれの風窓１５からも風が流出するものの、流れ１９は渦を多く発生させ、騒音の原因となる。
【０００５】
さらに、冷却ファン本体１４に設けられた羽根１３は電動工具騒音音源要因のひとつであり、風窓１５により、羽根１３を露出することは騒音増加の要因となる。
【０００６】
【課題を解決するための手段】
上記目的は、モータ等の回転駆動源により正逆両方向に回転可能にハウジング内に配設された冷却ファンを有し、前記ハウジングは、正転時に冷却風を排出する風窓と逆転時に冷却風を排出する風窓とを有する動力式回転工具において、前記冷却ファンの回転方向に対応して前記一方の風窓を閉じる閉鎖部材を設けることで達成される。
【０００７】
【発明の実施の形態】
以下本発明の実施例を図１、図２を参照して説明する。
【０００８】
ハウジング１０内のファン室には、ファン本体１４と羽根１３及びハブを備えた冷却ファン３が設置されており、回転方向２３で回転している。ファン室内部には正逆転切替スイッチと連動した滑動壁で構成した閉塞部材２０が設置されており、冷却ファン３の回転方向が矢印２３の方向で回転している場合、閉塞部材２０は図１位置で固定され、風窓２２を閉塞し、風窓２１を開放している。これにより風窓２１のみよりスムーズに冷却風が流出する。これに対し、図２に示すような逆回転時には冷却ファン３の回転方向は矢印２４の方向であり、閉塞部材２０は正逆転切替スイッチと連動し、風窓２１を閉塞し、風窓２２を開放している。これにより、逆回転時には風窓２２のみよりスムーズに冷却風が流出する。また、閉塞部材２０はファン室内に流入する空気を閉塞するだけでなく、流れを閉塞している際には防音壁の役目を果たしているため、低騒音の効果も果たしている。
【０００９】
また図３、図４に示す他の実施例においては、ファン室内部には正逆転切替スイッチと連動した回動壁で構成したガイド部材２６が回転支持２７により設置されており、冷却ファン３の回転方向が矢印２５の方向で回転している場合はガイド部材２６は図３の位置で固定され、冷却風は冷却ファン３の回転方向２５に従い流れ２８として風窓３１からスムーズに排出される。これに対し、図４に示すような逆回転時には冷却ファン３の回転方向は矢印２９の方向であり、ガイド部材２６は正逆転切替スイッチと連動し、回転支持２７を中心に角度を変え、冷却風を流れ３０としてスムーズに排出する。また、ガイド部材２６では、ハウジング１０外部から騒音源である羽根１３を完全に覆い隠すことができ、高い遮音性能を発揮することができる。
【００１０】
【発明の効果】
以上のように本発明によれば、冷却に利用されない流れを閉塞し冷却能力等の向上を図れる他、遮音壁効果により騒音を低減することも可能となる。
【図面の簡単な説明】
【図１】本発明動力式回転工具の実施例を示す部分断面図。
【図２】本発明動力式回転工具の実施例を示す部分断面図。
【図３】本発明動力式回転工具の他の実施例を示す部分断面図。
【図４】本発明動力式回転工具の他の実施例を示す部分断面図。
【図５】従来の動力式回転工具を示す断面図。
【図６】従来の動力式回転工具を示す部分断面図。
【図７】従来の動力式回転工具を示す部分断面図。
【図８】従来の動力式回転工具を示す部分断面図。
【図９】従来の動力式回転工具を示す部分断面図。
【符号の説明】
３は冷却ファン、１０はハウジング、２１、２２、３１は風窓、２０は閉塞部材、２６はガイド部材である。
【図１】
2004249425.tif 000003
【図２】
2004249425.tif 000004
【図３】
2004249425.tif 000005
【図４】
2004249425.tif 000006
【図５】
2004249425.tif 000007
【図６】
2004249425.tif 000008
【図７】
2004249425.tif 000009
【図８】
2004249425.tif 000010
【図９】
2004249425.tif 000011